(57)【要約】  本発明は、周期的位置情報要求を処理する方法を開示し、位置情報サービスシステムが目標ユーザ装置に関してＬＣＳクライアントにより送られた位置情報要求を受信しかつこの位置情報要求が周期的位置情報要求であることを確認すると、位置情報サービスシステムは予め定義されたルールに基づいて周期的位置情報要求に参照番号を割り当て、目標ユーザ装置を位置決めした後、参照番号を伝送する目標ユーザ装置の位置決め結果をＬＣＳクライアントへ返信する。ＬＣＳクライアントは、割り当てられた参照番号に従って、返信された目標ユーザ装置の位置決め結果と、このＬＣＳクライアントにより開始された周期的位置情報要求とを関連付けて、周期的位置情報要求の処理の正常さを保証する。さらにＬＣＳクライアントは、ＬＣＳクライアントが取り消し手順を開始すると、どの周期的位置情報要求を取り消すべきかを参照番号を用いて明示的に識別することができる。
2007511967.tif 000002
【特許請求の範囲】
【請求項１】
周期的位置情報要求を処理するための方法であって、位置情報サービスシステムが、目標ＵＥに関してＬＣＳクライアントにより開始された位置情報要求を受信したときであって、かつこの位置情報要求が周期的位置情報要求であることを確認したとき、下記のステップ、すなわち、
Ａ．位置情報サービスシステムが、予め定義されたルールに基づいて上記周期的位置情報要求に参照番号を割り当てるステップと、
Ｂ．目標ＵＥを位置決めした後、位置情報サービスシステムが、上記参照番号を伝送する目標ＵＥの位置決め結果をＬＣＳクライアントへ返信するステップとを含む方法。
【請求項２】
上記予め定義されたルールに基づいて上記周期的位置情報要求に参照番号を割り当てる処理は、
上記周期的位置情報要求に含まれる処理されるべきすべての位置情報要求に対して、同じ参照番号を割り当てることを含む請求項１記載の方法。
【請求項３】
上記予め定義されたルールに基づいて上記周期的位置情報要求に参照番号を割り当てる処理は、
処理中の現在の位置情報要求と、上記現在の位置情報要求の後に処理されるべき次の位置情報要求とに対して、異なる参照番号を割り当てることを含む請求項１記載の方法。
【請求項４】
上記方法はさらに、
位置情報サービスシステムが上記現在の位置情報要求を処理し、周期的タイマを設定し、かつ現在の位置情報要求に参照番号を割り当てることと、
上記周期的タイマがタイムアウトしたとき、上記現在の位置情報要求の処理が終了しているか否かを判定することと、
上記現在の位置情報要求の処理が終了していない場合、位置情報サービスシステムが上記現在の位置情報要求の処理を継続することと、
上記現在の位置情報要求の処理が終了している場合、位置情報サービスシステムが、上記現在の位置情報要求に割り当てられた参照番号を伝送する目標ＵＥの位置決め結果をＬＣＳクライアントへ返信し、よって上記処理されるべき位置情報要求は現在の位置情報要求となり、位置情報サービスシステムが上記現在の位置情報要求を処理し、周期的タイマを設定し、かつ上記最後の位置情報要求に割り当てられた参照番号を上記現在の位置情報要求の参照番号として直接に使用することとを含む請求項２記載の方法。
【請求項５】
上記方法はさらに、
位置情報サービスシステムが上記現在の位置情報要求を処理し、周期的タイマを設定し、かつ現在の位置情報要求に参照番号を割り当てることと、
上記周期的タイマがタイムアウトしたとき、上記現在の位置情報要求の処理が終了しているか否かを判定することと、
上記現在の位置情報要求の処理が終了していない場合、位置情報サービスシステムが上記現在の位置情報要求の処理を継続することと、
上記現在の位置情報要求の処理が終了している場合、位置情報サービスシステムが、上記現在の位置情報要求に割り当てられた参照番号を伝送する目標ＵＥの位置決め結果をＬＣＳクライアントへ返信し、よって上記処理されるべき位置情報要求は現在の位置情報要求となり、位置情報サービスシステムが上記現在の位置情報要求を処理し、周期的タイマを設定し、かつ上記現在の位置情報要求に参照番号を再割り当てすることとを含む請求項３記載の方法。
【請求項６】
ステップＢの前に、さらに、
Ｂ０．位置情報サービスシステムがＬＣＳクライアントへ上記参照番号を送信することを含み、その参照番号は処理中の現在の位置情報要求に対応する請求項１又は３記載の方法。
【請求項７】
上記周期的位置情報要求は、
周期的な遅延型位置情報要求又は周期的な即時型位置情報要求である請求項１記載の方法。
【請求項８】
上記方法はさらに、
ＬＣＳクライアントが、上記参照番号を伝送する周期的位置情報要求の取り消し要求を位置情報サービスシステムへ送信し、位置情報サービスシステムが、上記参照番号に対応する周期的位置情報要求を取り消すことを含む請求項１、２又は３記載の方法。
【発明の詳細な説明】
【技術分野】
【０００１】
本発明はネットワーク装置の位置決め技術に関し、より特定的には、周期的な位置情報要求（又は位置決め要求）を処理するための方法に関する。
【背景技術】
【０００２】
移動通信ネットワークの位置情報サービス又はロケーションサービス（Location Service：ＬＣＳ）では、目標ユーザ装置（ＵＥ）の位置情報（又はロケーション情報）は位置決定技術によって取得される。ここで、ＵＥとは、移動通信ネットワーク内において位置決めされるＵＥ端末装置を示し、位置情報は、地理的な緯度及び経度情報であるか、又は地域の道路のロケーションであるかの何れかである可能性がある。移動通信ネットワークにより取得される位置情報は、目標ＵＥに向けて、当該目標ＵＥの位置決めのために提供される場合もあれば、移動ネットワーク自体のために提供される場合もあり、又は、目標ＵＥの位置情報を要求する組織及び個人等の他のクライアントアプリケーション端末装置に向けて、補足的サービスとして提供される場合もある。従って、位置情報サービスは、緊急時の救援活動、車両誘導、高度道路交通システム、人材派遣とチーム管理、移動体のイエローページ照会、及びネットワーク性能強化などに関連する広範な応用を有する。第３世代パートナーシッププロジェクト（３ＧＰＰ）には、ＬＣＳの仕様と、ＬＣＳシステム全体の機能モード、構成、状態記述及びメッセージフローとが説明されている。
【０００３】
図１は、位置情報サービス機能の論理構造を示す概略図である。図１に示すように、機能論理に関する限り、位置情報サービスを実装するための機能論理エンティティは、要求側端末装置１０１と、位置情報サービス機能エンティティを実装するためのＬＣＳシステム１０６と、目標ＵＥ１０７とを備える。位置情報サービスを実装するための機能エンティティは、ゲートウェイ移動体ロケーションセンタ（ＧＭＬＣ）１０２と、ユーザデータ記憶サーバ装置１０３と、中央ネットワーク（ＣＮ）１０４と、無線アクセスネットワーク（ＲＡＮ）１０５とを備える。要求側端末装置１０１は、リクエスタとＬＣＳクライアント端末装置とを備えて構成されることが可能である。ＬＣＳクライアント端末装置とは、１つ又は複数の目標ＵＥ１０７の位置情報を取得するために使用されかつＧＭＬＣ１０２へアクセスされるソフトウェア又はハードウェアエンティティを示し、リクエスタとは、目標ＵＥ１０７の位置情報を要求する組織又は個人等のアプリケーションクライアント端末装置を示し、これが位置決め要求を開始する。また、ＬＣＳクライアント端末装置がリクエスタとなる場合もある。ＧＭＬＣ１０２は、位置情報サービスメッセージを処理するために、ＬＣＳクライアントと位置情報サービスを実装する機能エンティティとの間で情報を相互に交換する標準的なＬＣＳインタフェースを提供する。この処理は次の通りである。要求側端末装置１０１が認証され、要求側端末装置１０１により送信された位置情報要求メッセージが認証され、この認証の後、ＧＭＬＣ１０２は、目標ＵＥ１０７を位置決めする要求をＣＮ１０４へ送り、最後に、ＧＭＬＣ１０２は、ＣＮ１０４によって返信された目標ＵＥ１０７の位置決め結果を要求側端末装置１０１へ送信する。ユーザデータ記憶サーバ装置１０３は、ホームロケーションレジスタ（ＨＬＲ）又はホーム加入者情報サーバ装置（ＨＳＳ）であり、これは、ユーザデータを格納することと、目標ＵＥが属するＧＭＬＣ１０２のアドレス情報、目標ＵＥが位置した現在のＧＭＬＣ１０２のアドレス情報、及びＣＮ１０４のアドレス情報等の目標ＵＥの関連情報を他のネットワーク論理エンティティのために提供することとに使用される。ＣＮ１０４は、ＧＭＬＣ１０２により送信された目標ＵＥ１０７を位置決めする要求を受信して処理し、ＲＡＮ１０５と協働して目標ＵＥ１０７を位置決めし、目標ＵＥ１０７の位置決め結果をＧＭＬＣ１０２へ返信する。
【０００４】
ＧＭＬＣはさらに、要求側ＧＭＬＣ（Requesting GMLC：Ｒ−ＧＭＬＣ）、ホームＧＭＬＣ（Ｈ−ＧＭＬＣ）及び被訪問側ＧＭＬＣ（Visited GMLC：Ｖ−ＧＭＬＣ）を備えてもよい。Ｒ−ＧＭＬＣは、ＬＣＳクライアントにより目標ＵＥに対して開始される位置情報要求を受信する側のＧＭＬＣであり、Ｈ−ＧＭＬＣは目標ＵＥが属するＧＭＬＣであり、Ｖ−ＧＭＬＣは、目標ＵＥのために動作している現在のＧＭＬＣ、すなわち目標ＵＥがその時点で位置しているＧＭＬＣである。Ｒ−ＧＭＬＣ、Ｈ−ＧＭＬＣ及びＶ−ＧＭＬＣは同じ物理的エンティティである場合もあれば、異なる物理的エンティティである場合もある。
【０００５】
現在のところ、ＬＣＳ  ３ＧＰＰ仕様では、ＬＣＳクライアントが目標ＵＥへ送る位置情報要求は２つのカテゴリ、すなわち即時型位置情報要求と、遅延型位置情報要求とに分けられる。即時型位置情報要求とは、ＬＣＳシステムがＬＣＳクライアントより目標ＵＥに対して送られる位置情報要求を受信すると、目標ＵＥが即時に位置決めされ、次いで目標ＵＥの位置決め結果がＬＣＳクライアントへ返信されること、すなわちＬＣＳシステムが、ＬＣＳクライアントにより送られる位置情報要求を受信した時点で即時に目標ＵＥの位置決め結果をＬＣＳクライアントへ返信することを示す。遅延型位置情報要求の場合、ＬＣＳクライアントは、未来の時点において又は所定のイベントが検出されたときにおいて目標ＵＥの位置情報を提供すること、すなわちＬＣＳクライアントにより目標ＵＥに送られた位置情報要求を受信した後に目標ＵＥの位置情報を提供することをＬＣＳシステムに要求し、ＬＣＳシステムは一定の期間にわたって待機する必要があり、遅延されたイベントが検出された後に目標ＵＥの位置決め結果をＬＣＳクライアントへ返信する。
【０００６】
さらに、３ＧＰＰは、目標ＵＥの位置情報を周期的に提供するようにＬＣＳクライアントがＬＣＳシステムに要求させる。すなわち、ＬＣＳクライアントは開始時刻、終了時刻及び所定の周期論理を定義するとともに、ＬＣＳクライアントは、上記周期論理に従ったその時間期間において目標ＵＥの位置情報を提供するようにＬＣＳシステムに要求する。加えて、周期的位置情報要求及び遅延型位置情報要求は組み合わせることが可能であり、ＬＣＳクライアントは周期的な遅延型位置情報要求をＬＣＳシステムへ送ることができる。
【０００７】
図２は、３ＧＰＰのＬＣＳ仕様書における周期的な遅延型位置情報要求の処理フローチャートであり、図２に示すように、３ＧＰＰのＬＣＳ仕様書に定義されている周期的な遅延型位置情報要求の処理であって、ＵＥにとって利用可能な遅延型位置情報要求及び周期的位置情報要求に関連付けられた処理は、下記のステップを含む。
【０００８】
ステップ２０１：ＬＣＳクライアントはＲ−ＧＭＬＣへ周期的な遅延型ＬＣＳサービス要求を送り、目標ＵＥの位置情報の提供をＬＣＳシステムに要求する。ここで、ＬＣＳサービス要求は、目標ＵＥ識別子を伝送するとともに、例えば目標ＵＥが移動体ネットワークに接続され次第、即時に位置決めされるように、目標ＵＥの位置決めをトリガするイベント（トリガイベント）を伝送する。このＬＣＳサービス要求はまた、所定の周期論理を伝送し、すなわち周期開始時刻と、周期終了時刻と、目標ＵＥを位置決めする時間間隔とを伝送する。
【０００９】
ステップ２０２：ＬＣＳクライアントが目標ＵＥへ送信する位置情報要求を受信した後、Ｒ−ＧＭＬＣは周期論理に従って周期開始時刻に周期的タイマを起動し、Ｈ−ＧＭＬＣ／Ｖ−ＧＭＬＣへ共通の遅延型ＬＣＳサービス要求を送る。ここで、ＬＣＳサービス要求は、目標ＵＥの位置決めをトリガするイベントと、Ｒ−ＧＭＬＣにより共通の遅延型ＬＣＳサービス要求に割り当てられた１２３４のような参照番号とを伝送する。
【００１０】
ステップ２０３乃至ステップ２０５：ＬＣＳサービス要求を受信した後、Ｈ−ＧＭＬＣ／Ｖ−ＧＭＬＣはＣＮへ加入者ロケーション提供要求を送る。ここで、加入者ロケーション提供要求は、目標ＵＥの位置決めをトリガするイベントと、Ｒ−ＧＭＬＣにより共通の遅延型ＬＣＳサービス要求に割り当てられた参照番号とを伝送し、加入者ロケーション提供要求はまた、トリガイベントが検出されたときに目標ＵＥを位置決めするようにＣＮに要求する。加入者ロケーション提供要求を受信した後、ＣＮはトリガイベントの条件が満たされているか否かを判定し、条件が満たされていれば目標ＵＥは直ちに位置決めされ、そうでなければ、ＣＮは、トリガイベントと位置決めされるべき目標ＵＥの参照番号とを格納し、次いでＨ−ＧＭＬＣ／Ｖ−ＧＭＬＣへ加入者ロケーション提供ＡＣＫを送って、ＣＮが目標ＵＥにより送られた共通の遅延型位置情報要求を受信していることをＨ−ＧＭＬＣ／Ｖ−ＧＭＬＣへ通知する。加入者ロケーション提供ＡＣＫを受信した後、Ｈ−ＧＭＬＣ／Ｖ−ＧＭＬＣはＲ−ＧＭＬＣへＬＣＳサービス応答を送り、ＣＮが目標ＵＥにより送られた共通の遅延型位置情報要求を受信していることをＲ−ＧＭＬＣへ通知する。ＬＣＳサービス応答を受信した後、Ｒ−ＧＭＬＣはＬＣＳサービス応答をＬＣＳクライアントへ送る。ここで、ＬＣＳサービス応答は、Ｒ−ＧＭＬＣにより現在かつ共通の遅延型ＬＣＳサービス要求に割り当てられた参照番号を伝送し、ＬＣＳサービス応答はまた、ＬＣＳシステムがＬＣＳクライアントにより目標ＵＥへ送られた遅延型位置情報要求を受信していることをＬＣＳクライアントへ通知する。
【００１１】
ステップ２０６：Ｒ−ＧＭＬＣの周期的タイマがタイムアウトすると、Ｒ−ＧＭＬＣは、目標ＵＥの位置決め結果がＣＮにより返信されることを当該Ｒ−ＧＭＬＣが待機している状態にあるか否かを判定し、そうであればステップ２０７ａが実行され、そうでなければ２０７ｂが実行される。
【００１２】
ＣＮによる位置決め結果の返信を待機している状態におけるＲ−ＧＭＬＣの特定の処理は、下記の通りである。
【００１３】
ステップ２０７ａ：Ｒ−ＧＭＬＣは、ＬＣＳクライアントへＬＣＳサービス応答を送る。この場合、ＬＣＳサービス応答は、ステップ２０２においてＲ−ＧＭＬＣにより割り当てられた参照番号を伝送し、それにより、目標ＵＥの位置情報が提供される予定でないことをＬＣＳクライアントへ通知する。
【００１４】
ステップ２０８ａ乃至ステップ２０９ａ：ＣＮは、格納されているトリガイベントの現在の発生条件が満たされているか否かを判定し、満たされていれば直ちに目標ＵＥを位置決めし、そうでなければ引き続きトリガイベントの発生を待機する。トリガイベントが検出されたことをＣＮが検出したとき、例えば、ＵＥにとって利用可能な遅延型位置情報要求に関して言えば、ＬＣＳクライアントは、目標ＵＥによる移動体ネットワークへのアクセスが実行されるとすぐに目標ＵＥを位置決めするように要求していて、ここで、目標ＵＥが移動体ネットワークへのアクセスを要求すれば、ＣＮは、この目標ＵＥの位置決めをトリガするイベントが検出されているものと想定し、ＲＡＮと協働して目標ＵＥに対する位置決め手順を実行する。
【００１５】
ステップ２１０ａ乃至２１２ａ：ＲＡＮと協働して目標ＵＥの位置決めを終了した後、ＣＮはＨ−ＧＭＬＣ／Ｖ−ＧＭＬＣへ加入者ロケーション報告を送る。ここで、加入者ロケーション報告は、目標ＵＥの位置決め結果と、ＣＮにより格納されている１２３４のような参照番号とを伝送する。加入者ロケーション報告を受信した後、Ｈ−ＧＭＬＣ／Ｖ−ＧＭＬＣはＣＮへ加入者ロケーション報告ＡＣＫを送り、目標ＵＥの位置決め結果が受信されていることをＣＮへ通知する。一方で、Ｈ−ＧＭＬＣ／Ｖ−ＧＭＬＣはＲ−ＧＭＬＣへＬＣＳサービス応答を送る。ここで、ＬＣＳサービス応答は、ＣＮによって返信された目標ＵＥの位置決め結果と、参照番号とを伝送する。ＬＣＳサービス応答を受信すると、Ｒ−ＧＭＬＣは、必要に応じて目標ＵＥの受信された位置決め結果に対する変換処理を実行すること、例えば緯度及び経度情報のローカルな物理情報への変換を実行することが可能であり、Ｒ−ＧＭＬＣはＬＣＳサービス応答をＬＣＳクライアントへ送信し、目標ＵＥの変換された最終的な位置情報をＬＣＳクライアントへ提供する。ここで、ＬＣＳサービス応答は参照番号を伝送する。次にＲ−ＧＭＬＣは、ＣＮによる位置決め結果の返信を待機していない状態となる。
【００１６】
ＣＮによる位置決め結果の返信を待機している状態にはないＲ−ＧＭＬＣの特定処理は、下記の通りである。
【００１７】
ステップ２０７ｂ乃至ステップ２０９ｂ：Ｒ−ＧＭＬＣは、共通の遅延型ＬＣＳサービス要求をＨ−ＧＭＬＣ／Ｖ−ＧＭＬＣへ再送信する。このＬＣＳサービス要求は、目標ＵＥの位置決めをトリガするイベントを伝送するとともに、Ｒ−ＧＭＬＣにより再割り当てされた５６７８のような現在かつ共通の遅延型ＬＣＳサービス要求の参照番号を伝送する。この場合、この参照番号は現在かつ共通の遅延型ＬＣＳサービス要求に関してＲ−ＧＭＬＣにより再割り当てされるので、この参照番号は、ステップ２０２においてＲ−ＧＭＬＣにより割り当てられたものとは異なる。後続のステップは基本的にはステップ２０３乃至ステップ２０５と同じであり、よって相違点は、後続ステップにおける関連の参照番号がステップ２０３乃至ステップ２０５における参照番号とは異なることである。
【００１８】
ステップ２１０ｂ乃至ステップ２１４ｂとステップ２０８ａ乃至ステップ２１２ａとは基本的に同様であるが、ステップ２１０ｂ乃至ステップ２１４ｂにおける関連の参照番号はステップ２０８ａ乃至ステップ２１２ａにおける参照番号とは異なる点が相違する。
【００１９】
各後続周期における手順は、基本的に上述の処理におけるそれと同様である。
【００２０】
上述の参照番号はＲ−ＧＭＬＣによって割り当てられ、維持される。周期的遅延型位置情報要求の処理手順において、Ｒ−ＧＭＬＣは、処理されるべき単一の遅延型位置情報要求の各々について個々に参照番号を割り当て、この参照番号をＨ−ＧＭＬＣ／Ｖ−ＧＭＬＣを介してＣＮへ提供し、次いでＣＮはこの参照番号を格納する。目標ＵＥの位置決めを終了した後、ＣＮは、目標ＵＥの位置決め結果をＨ−ＧＭＬＣ／Ｖ−ＧＭＬＣを介してＲ−ＧＭＬＣへ返信し、格納された参照番号を伝送し、よってＲ−ＧＭＬＣは、この位置決め結果と、この位置決め手順を開始する位置情報要求とを関連付けることができる。さらに、Ｒ−ＧＭＬＣが、ＬＣＳシステムがＬＣＳクライアントによって開始された位置情報要求を受信したことをＬＣＳクライアントへ通知すると、処理中の現在の単一の遅延型位置情報要求に対して予め割り当てられている参照番号がＬＣＳクライアントへ提供される。さらには、目標ＵＥの位置決め結果をＬＣＳクライアントへ返信する際に、Ｒ−ＧＭＬＣは同じ参照番号を伝送し、よってＬＣＳクライアントは、目標ＵＥのこの受信された位置情報と、この位置決め手順を開始する位置情報要求とを関連付けることができる。
【００２１】
ＬＣＳクライアントが、以前に開始されたアクティブな位置情報要求を取り消す（キャンセルする）とき、取り消し要求において参照番号が伝送され、よって、この参照番号に対応する位置情報要求を取り消すようにＲ−ＧＭＬＣへ通知される。
【発明の開示】
【発明が解決しようとする課題】
【００２２】
上述の説明からは、ＬＣＳクライアントにより提供される周期論理に従って、ＬＣＳシステムは周期的な遅延型位置情報要求をいくつかの共通の遅延型位置情報要求に分割し、分割された各位置情報要求は処理手順において遅延型位置情報要求として処理され、参照番号は、この位置情報要求を識別するために、処理中の現在の遅延型位置情報要求に対して割り当てられるということが分かる。このようにして、ＬＣＳシステムは、ＬＣＳクライアントにより開始された周期的な遅延型位置情報要求に含まれる複数の共通の遅延型位置情報要求に対して、複数の参照番号をランダムに割り当てる。すなわち、共通の遅延型位置情報要求の参照番号は異なる。従って、同じ周期的な遅延型位置情報要求に関して、ＬＣＳクライアントは、異なる参照番号を有する複数の応答を受信することになり、よってＬＣＳクライアントは、それ自体が開始した周期的な遅延型位置情報要求に対して、ＬＣＳシステムにより後に参照番号の割り当てを受ける応答を関連付けることも、目標ＵＥの位置決め結果を関連付けることもできない。例えば、図２の処理フローチャートにおいて、Ｒ−ＧＭＬＣは、第１の共通の遅延型位置情報要求に参照番号１２３４を割り当てて、ステップ２０５において、以前に開始された周期的な遅延型位置情報要求の参照番号が１２３４であることをＬＣＳクライアントへ通知する。従って、ＬＣＳクライアントは、ＬＣＳシステムにより返信された参照番号１２３４を有する位置情報応答のみがこの周期的な遅延型位置情報要求の応答であると判定する。しかしながら、Ｒ−ＧＭＬＣは、第２の共通の遅延型位置情報要求に対して参照番号５６７８を割り当て、ステップ２０９ｂでは、参照番号５６７８を有するＬＣＳサービス応答をＬＣＳクライアントへ送って、それにより、上記周期的な位置情報要求が受信されていることをＬＣＳクライアントに通知する。その結果、ＬＣＳクライアントは、この応答が先行するどの位置情報要求に関するものかを判定することができず、目標ＵＥについての受信された位置決め結果は不確定なものになる。さらに、上述の状況では、ＬＣＳクライアントが、参照番号１２３４を有する取り消しメッセージをＬＣＳシステムへ送って、以前に送信された周期的な遅延型位置情報要求を取り消ししようとすると、ＬＣＳシステムにおいてはこの要求の参照番号が５６７８であるので、ＬＣＳシステムは、参照番号１２３４を有する現在のアクティブな位置情報要求を発見することができず、結果的にこの遅延型位置情報要求を正しく取り消すことができない。
【００２３】
従って、本発明の主たる目的は、周期的な位置情報要求の処理が正常であることを保証するように、周期的な位置情報要求を処理するための方法を提供することにある。
【課題を解決するための手段】
【００２４】
上述の目的を達成するために、周期的位置情報要求を処理するための方法は、位置情報サービスシステムが、目標ＵＥに関してＬＣＳクライアントにより開始された位置情報要求を受信したときであって、かつこの位置情報要求が周期的位置情報要求であることを確認したとき、
Ａ．位置情報サービスシステムが、予め定義されたルールに基づいて上記周期的位置情報要求に参照番号を割り当てるステップと、
Ｂ．目標ＵＥを位置決めした後、位置情報サービスシステムが、上記参照番号を伝送する目標ＵＥの位置決め結果をＬＣＳクライアントへ返信するステップとを含む。
【００２５】
ここで、上記予め定義されたルールに基づいて上記周期的位置情報要求に参照番号を割り当てる処理は、
上記周期的位置情報要求に含まれる処理されるべきすべての位置情報要求に対して、同じ参照番号を割り当てることを含む。
【００２６】
ここで、上記予め定義されたルールに基づいて上記周期的位置情報要求に参照番号を割り当てる処理は、
処理中の現在の位置情報要求と、上記現在の位置情報要求の後に処理されるべき次の位置情報要求とに対して、異なる参照番号を割り当てることを含む。
【００２７】
ここで、本方法はさらに、
位置情報サービスシステムが上記現在の位置情報要求を処理し、周期的タイマを設定し、かつ現在の位置情報要求に参照番号を割り当てることと、
上記周期的タイマがタイムアウトしたとき、上記現在の位置情報要求の処理が終了しているか否かを判定することと、
上記現在の位置情報要求の処理が終了していない場合、位置情報サービスシステムが上記現在の位置情報要求の処理を継続することと、
上記現在の位置情報要求の処理が終了している場合、位置情報サービスシステムが、上記現在の位置情報要求に対して割り当てられた参照番号を伝送する目標ＵＥの位置決め結果をＬＣＳクライアントへ返信し、よって上記処理されるべき位置情報要求は現在の位置情報要求となり、位置情報サービスシステムが上記現在の位置情報要求を処理し、周期的タイマを設定し、かつ上記最後の位置情報要求に割り当てられた参照番号を上記現在の位置情報要求の参照番号として直接に使用することとを含む。
【００２８】
ここで、本方法はさらに、
位置情報サービスシステムが上記現在の位置情報要求を処理し、周期的タイマを設定し、かつ現在の位置情報要求に参照番号を割り当てることと、
上記周期的タイマがタイムアウトしたとき、上記現在の位置情報要求の処理が終了しているか否かを判定することと、
上記現在の位置情報要求の処理が終了していない場合、位置情報サービスシステムは上記現在の位置情報要求の処理を継続することと、
上記現在の位置情報要求の処理が終了している場合、位置情報サービスシステムが、上記現在の位置情報要求に割り当てられた参照番号を伝送する目標ＵＥの位置決め結果をＬＣＳクライアントへ返信し、よって上記処理されるべき位置情報要求は現在の位置情報要求となり、位置情報サービスシステムが上記現在の位置情報要求を処理し、周期的タイマを設定し、かつ上記現在の位置情報要求に参照番号を再割り当てすることとを含む。
【００２９】
ここで、ステップＢの前に、さらに、
Ｂ０．位置情報サービスシステムがＬＣＳクライアントへ上記参照番号を送信することを含み、その参照番号は処理中の現在の位置情報要求に対応する。
【００３０】
ここで、上記周期的位置情報要求は、
周期的な遅延型位置情報要求又は周期的な即時型位置情報要求である。
【００３１】
ここで、本方法はさらに、
ＬＣＳクライアントが、上記参照番号を伝送する周期的位置情報要求の取り消し要求を位置情報サービスシステムへ送信し、位置情報サービスシステムが、上記参照番号に対応する周期的位置情報要求を取り消すことを含む。
【発明の効果】
【００３２】
本発明の方法によれば、ＬＣＳシステムは、所定のルールに従って、ＬＣＳクライアントにより開始された位置情報要求に参照番号を割り当て、この参照番号をＬＣＳクライアントへ返信する。ＬＣＳクライアントは、ＬＣＳシステムにより割り当てられたこの参照番号に従って、ＬＣＳシステムにより返信された目標ＵＥの位置決め結果と、ＬＣＳクライアントにより開始された周期的位置情報要求とを関連付けて、周期的位置情報要求の処理の正常さを保証することができる。さらに、ＬＣＳクライアントが、このＬＣＳクライアントにより開始された周期的位置情報要求を取り消ししようとしていれば、この参照番号は、ＬＣＳシステムへ送られる取り消し要求において伝送されることが可能であり、取り消される周期的位置情報要求は明示的に識別され、次いでＬＣＳシステムは、上記参照番号に対応する周期的位置情報要求を取り消す。
【発明を実施するための最良の形態】
【００３３】
次に、添付の図面を参照して、本発明を詳細に説明する。
【００３４】
本発明において、ＬＣＳシステムは、所定のルールに従って、ＬＣＳクライアントにより開始された周期的位置情報要求に参照番号を割り当て、よってＬＣＳクライアントは、ＬＣＳシステムにより割り当てられたこの参照番号に従って、ＬＣＳシステムにより返信された目標ＵＥの位置決め結果と、ＬＣＳクライアントにより開始された周期的位置情報要求とを関連付けて、周期的位置情報要求の処理の正常さを保証することができる。
【００３５】
ＬＣＳシステムが目標ＵＥに関してＬＣＳクライアントにより開始された位置情報要求を受信すると、ＬＣＳシステムは、この位置情報要求において伝送される周期論理情報に従って、例えば周期開始時刻と、周期終了時刻と、目標ＵＥを位置決めするための時間間隔とに従って、この位置情報要求が周期論理の情報要求であることを確認し、ＬＣＳシステムは周期的な時間間隔に従って上記タイマを起動し、この周期論理の情報要求に参照番号を割り当てる。ＬＣＳシステムが周期論理の情報要求に参照番号を割り当てる方法としては様々なものがあり、次に特定の実施形態を参照して、ＬＣＳシステムが参照番号を割り当てる方法を詳細に説明する。
【００３６】
図３は、本発明における周期的な遅延型位置情報要求の処理方法を示すフローチャートであり、図３に示すように、ＵＥにとって利用可能な遅延型位置情報要求の処理手順は下記の通りである。
【００３７】
ステップ３０１は、ステップ２０１と同様である。
【００３８】
ステップ３０２：目標ＵＥに関してＬＣＳクライアントにより開始された位置情報要求を受信した後、Ｒ−ＧＭＬＣは、この位置情報要求において伝送される周期論理情報に従って、この位置情報要求が周期的な遅延型位置情報要求であることを確認し、次いで周期論理に従って周期開始時刻において周期的タイマを起動し、Ｈ−ＧＭＬＣ／Ｖ−ＧＭＬＣへ共通の遅延型ＬＣＳサービス要求を送る。このＬＣＳサービス要求は、目標ＵＥの位置決めをトリガするイベントと、Ｒ−ＧＭＬＣによりこの周期的な遅延型位置情報要求に割り当てられた１２３４のような参照番号を伝送する。
【００３９】
ステップ３０３乃至ステップ３０５は、ステップ２０３乃至ステップ２０５と同様である。
【００４０】
ステップ３０６：Ｒ−ＧＭＬＣの周期的タイマがタイムアウトすると、Ｒ−ＧＭＬＣは、ＣＮによって目標ＵＥの位置決め結果が返信されることをＲ−ＧＭＬＣが待機している状態にあるか否かを判定し、そうであればステップ３０７ａが実行され、そうでなければステップ３０７ｂが実行される。
【００４１】
ＣＮによる位置決め結果の返信を待機している状態にあるＲ−ＧＭＬＣの特定のステップは、下記の通りである。
【００４２】
ステップ３０７ａは、ステップ２０７ａと同様である。
【００４３】
ステップ３０８ａ乃至ステップ３１２ａは、ステップ２０８ａ乃至ステップ２１２ａと同様である。
【００４４】
ＣＮによる位置決め結果の返信を待機している状態にはないＲ−ＧＭＬＣの特定ステップは、下記の通りである。
【００４５】
ステップ３０７ｂ乃至ステップ３０９ｂ：Ｒ−ＧＭＬＣは、共通の遅延型ＬＣＳサービス要求をＨ−ＧＭＬＣ／Ｖ−ＧＭＬＣへ再送信する。このＬＣＳサービス要求は、目標ＵＥの位置決めをトリガするイベントを伝送するとともに、ステップ３０２において割り当てられた１２３４のような、Ｒ−ＧＭＬＣにより割り当てられた、このＬＣＳサービス要求が属する周期的な遅延型位置情報要求の参照番号を伝送する。後続のステップは、ステップ３０３乃至ステップ３０５と同様である。
【００４６】
ステップ３１０ｂ乃至ステップ３１４ａと、ステップ２０８ａ乃至ステップ２１２ａとは基本的に同様であり、ステップ２１０ｂ乃至ステップ２１４ｂにおける関連の参照番号はステップ３０２におけるものと同じである。
【００４７】
後続の各周期における処理手順はほぼ同様であり、その手順において使用される参照番号は全て、ステップ３０２で割り当てられた参照番号である。
【００４８】
位置決めのための周期的な時間間隔の間、加入者の位置決めをトリガするイベントが検出されなければ、この目標ＵＥは、上記加入者の位置決めをトリガするイベントが検出される前に位置決めされることはできず、次の位置情報要求は、目標ＵＥが位置決めされかつ目標ＵＥの位置決め結果がＬＣＳクライアントへ返信された後でのみ、最も近接した周期時間において処理されることが可能である。例えば、目標ＵＥを３０分毎に位置決めするようにＬＣＳクライアントがＬＣＳシステムに要求し、位置情報のトリガイベントは目標ＵＥがエリアＡへ入ることであり、有効タイムスライスが１０：００乃至１４：００であるとき、タイムスライス１１：００乃至１１：３０の間に目標ＵＥがエリアＡ内に存在しなければ、ＬＣＳシステムはこの周期的な遅延型位置情報要求の次の位置情報要求を処理せず、現在の位置情報要求を引き続き処理する。目標ＵＥが１１：４０にエリアＡへ入ると、ＬＣＳシステムは目標ＵＥを位置決めし、目標ＵＥの位置決め結果をＬＣＳクライアントへ返信する。ＬＣＳシステムはこれで現在の位置情報要求の処理を終了し、この周期的な遅延型位置情報要求の次の位置情報要求を１２：００に位置決めする。この場合、周期的な遅延型位置情報要求の処理サイクルは時刻として厳密に画定されず、この周期的な遅延型位置情報要求における次の位置情報要求を処理できるのは、この周期的な遅延型位置情報要求における１つの位置情報要求が処理された後、すなわち、目標ＵＥが位置決めされた後に限られる。
【００４９】
現在の位置情報要求が引き続き処理中であれば、ＬＣＳシステムは現在の位置情報要求の処理を継続し、現在の位置情報要求の処理が終了すれば、ＬＣＳシステムは、上記現在の位置情報要求の参照番号を伝送する目標ＵＥの位置決め結果をＬＣＳクライアントへ返信する。よって処理されるべき位置情報要求が現在の位置情報要求となり、ＬＣＳシステムは上記現在の位置情報要求を処理し、周期的タイマを設定する。先行する位置情報要求に割り当てられた参照番号が、上記現在の位置情報要求の参照番号として直接に使用される場合もあれば、新たな参照番号が上記現在の位置情報要求に割り当てられる場合もある。
【００５０】
図４は、本発明における周期的な即時型位置情報要求の処理方法を示すフローチャートであり、図４に示すように、即時型位置情報要求及び周期的位置情報要求によって関連付けられる周期的な即時型位置情報要求の処理は下記のようなステップを含む。
【００５１】
ステップ４０１：ＬＣＳクライアントは周期的な即時型ＬＣＳサービス要求をＲ−ＧＭＬＣへ送って、それにより目標ＵＥの位置情報を提供するようにＬＣＳシステムに要求する。このＬＣＳサービス要求は、目標ＵＥの識別子と、所定の周期論理、すなわち周期開始時刻、周期終了時刻、及び目標ＵＥを位置決めする時間間隔とを伝送する。
【００５２】
ステップ４０２：目標ＵＥに関してＬＣＳクライアントにより開始された位置情報要求を受信した後、Ｒ−ＧＭＬＣは、位置情報要求において伝送された上記周期論理情報に従って、この位置情報要求が周期的な即時型位置情報要求であることを確認し、次いで周期論理に従って周期開始時刻に周期的タイマを起動し、処理中の現在のＬＣＳサービス要求及び処理されるべきＬＣＳサービス要求に対して１２３４及び５６７８のような参照番号を割り当て、Ｈ−ＧＭＬＣ／Ｖ−ＧＭＬＣへ共通の即時型ＬＣＳサービス要求を送る。
【００５３】
ステップ４０３乃至ステップ４０６：ＬＣＳサービス要求を受信した後、Ｈ−ＧＭＬＣ／Ｖ−ＧＭＬＣはＣＮへ加入者ロケーション提供要求を送って、目標ＵＥを即時に位置決めするようにＣＮに要求する。加入者ロケーション提供要求を受信した後、ＣＮは、ＲＡＮと協働して目標ＵＥに対する位置決め手順を実行する。ＲＡＮと協働して目標ＵＥの位置決めを終了した後、ＣＮはＨ−ＧＭＬＣ／Ｖ−ＧＭＬＣへ加入者ロケーション提供ＡＣＫを送り、目標ＵＥの位置決め結果を返信する。加入者ロケーション提供ＡＣＫを受信した後、Ｈ−ＧＭＬＣ／Ｖ−ＧＭＬＣはＨ−ＧＭＬＣへＬＣＳサービス応答を送信し、目標ＵＥの位置決め結果を返信する。加入者ロケーション提供ＡＣＫを受信した後、Ｈ−ＧＭＬＣは必要に応じて、緯度及び経度情報をローカルな物理情報へ変換するというように、目標ＵＥの返信された位置決め結果を変換することができる。Ｒ−ＧＭＬＣは、ＬＣＳクライアントへＬＣＳサービス応答を送り、目標ＵＥの変換された最終的な位置情報をＬＣＳクライアントへ提供する。上記ＬＣＳサービス応答は、ステップ４０２においてＲ−ＧＭＬＣにより割り当てられた１２３４のような参照番号と、処理されるべきＬＣＳサービス要求にＲ−ＧＭＬＣにより割り当てられた５６７８のような参照番号とを伝送する。
【００５４】
ステップ４０７乃至ステップ４１１：Ｒ−ＧＭＬＣの周期的タイマがタイムアウトすると、次の周期が現在の周期となり、現在のＬＣＳサービス要求の処理が終了した後、Ｒ−ＧＭＬＣは、次に処理されるべきＬＣＳサービス要求に対して例えば０９８６という参照番号を割り当てて、Ｈ−ＧＭＬＣ／Ｖ−ＧＭＬＣへ共通の即時型ＬＣＳサービス要求を再送信する。その後の手順はステップ４０３乃至ステップ４０６とほぼ同様であるが、目標ＵＥの位置決め結果が最後にＬＣＳクライアントへ返信されるときに、処理中の現在の位置情報要求に係る伝送される参照番号は、次に処理されるべき位置情報要求のそれとは異なり、例えば５６７８及び０９８６になるという点のみが相違する。
【００５５】
ＬＣＳシステムは、周期的位置情報要求に対して一般的な参照番号を割り当て、次にこの周期的位置情報要求の各位置情報要求に対して参照番号を割り当て、よって、ＬＣＳクライアントは、受信された目標ＵＥの位置決め結果に対応する周期的位置情報要求を見つけ出すことができる。
【００５６】
目標ＵＥの受信された位置決め結果とこのＬＣＳクライアントにより開始された位置情報要求とをＬＣＳクライアントが関連付けることができることのみを条件として、ＬＣＳシステムが位置情報要求に参照番号を割り当てる方法は様々に存在し、よって、参照番号の割り当て方法については詳述しない。
【００５７】
ＬＣＳクライアントがこのＬＣＳクライアントにより開始された位置情報要求を取り消す必要がある場合、参照番号は、取り消される周期的位置情報要求を明示的に識別できるように、ＬＣＳシステムへ送られる取り消し要求に含まれることが可能であり、ＬＣＳシステムはこの参照番号に対応する周期的位置情報要求を取り消す。
【００５８】
要するに、上述の説明は単なる好適な実施形態であり、本発明の保護範囲を限定するために使用されるものではない。
【図面の簡単な説明】
【００５９】
【図１】位置情報サービスの機能論理を示す概略図である。
【図２】３ＧＰＰのＬＣＳ仕様書における周期的位置情報要求の処理方法を示すフローチャートである。
【図３】本発明における周期的な遅延型位置情報要求の処理方法を示すフローチャートである。
【図４】本発明における周期的な即時型位置情報要求の処理方法を示すフローチャートである。
【図１】
2007511967.tif 000003
【図２】
2007511967.tif 000004
【図３】
2007511967.tif 000005
【図４】
2007511967.tif 000006
【国際調査報告】
2007511967.tif 000007
2007511967.tif 000008
2007511967.tif 000009
2007511967.tif 000010